(57)【特許請求の範囲】
【請求項１】
端末（ＵＥ）によって、基地局により通知されたランダムアクセスリソースの構成情報を受信するステップであって、前記ランダムアクセスリソースの前記構成情報は、システムブロードキャストを使用することによって前記基地局により通知される第１のランダムアクセスリソースの構成情報と、ダウンリンク制御情報（ＤＣＩ）を使用することによって前記基地局により通知される第２のランダムアクセスリソースの構成情報とを含む、ステップと、
前記ＵＥによって、ランダムアクセス規則と、前記基地局により通知される前記ランダムアクセスリソースの前記構成情報とに従って、前記第１のランダムアクセスリソースおよび前記第２のランダムアクセスリソースから、ランダムアクセスリソースを選択するステップと、
前記ＵＥによって、前記ランダムアクセスリソースに従って、ランダムアクセスを開始するステップと
を含み、
前記ランダムアクセス規則は、以下の規則、すなわち、
前記ランダムアクセスリソースをランダムに選択すること、
前記ＵＥの時間周波数リソースに最も近い前記ランダムアクセスリソースを選択すること、
前記ＵＥのタイプに従って、前記ランダムアクセスリソースを選択すること、または
前記ＵＥのアクセス理由に従って、前記ランダムアクセスリソースを選択すること、のうちの少なくとも１つを含み、
前記選択するステップにおいて、前記第１のランダムアクセスリソースまたは前記第２のランダムアクセスリソースのいずれかが、前記規則の組み合わせに従って優先的に選択される
ことを特徴とするランダムアクセス方法。
【請求項２】
前記ランダムアクセス規則が、前記ランダムアクセスリソースを前記ランダムに選択することを含む場合、前記ＵＥによって、ランダムアクセス規則と、前記基地局により通知される前記ランダムアクセスリソースの前記構成情報とに従って、前記第１のランダムアクセスリソースおよび前記第２のランダムアクセスリソースから、ランダムアクセスリソースを前記選択するステップは、
前記ＵＥによって、乱数を生成することと、
前記ＵＥによって、前記乱数と、確率因子と、前記基地局により通知される前記ランダムアクセスリソースの前記構成情報とに従って、前記第１のランダムアクセスリソースおよび前記第２のランダムアクセスリソースから、前記ランダムアクセスリソースを選択することとを含むことを特徴とする請求項１に記載の方法。
【請求項３】
前記ＵＥによって、前記乱数と、確率因子と、前記基地局により通知される前記ランダムアクセスリソースの前記構成情報とに従って、前記第１のランダムアクセスリソースおよび前記第２のランダムアクセスリソースから、前記ランダムアクセスリソースを前記選択するステップは、
前記乱数が前記確率因子よりも大きい場合、前記ＵＥによって、前記基地局により通知される前記ランダムアクセスリソースの前記構成情報に従って、前記第１のランダムアクセスリソースを選択するステップ、もしくは
前記乱数が前記確率因子よりも大きくない場合、前記ＵＥによって、前記基地局により通知される前記ランダムアクセスリソースの前記構成情報に従って、前記第２のランダムアクセスリソースを選択するステップを含み、または
前記ＵＥによって、前記乱数と、確率因子と、前記基地局により通知される前記ランダムアクセスリソースの前記構成情報とに従って、前記第１のランダムアクセスリソースおよび前記第２のランダムアクセスリソースから、前記ランダムアクセスリソースを前記選択するステップは、
前記乱数が前記確率因子よりも大きい場合、前記ＵＥによって、前記基地局により通知される前記ランダムアクセスリソースの前記構成情報に従って、前記第２のランダムアクセスリソースを選択するステップ、もしくは
前記乱数が前記確率因子よりも大きくない場合、前記ＵＥによって、前記基地局により通知される前記ランダムアクセスリソースの前記構成情報に従って、前記第１のランダムアクセスリソースを選択するステップを含むことを特徴とする請求項２に記載の方法。
【請求項４】
前記確率因子は、前記システムブロードキャストの通知に従って取得されることを特徴とする請求項２または３に記載の方法。
【請求項５】
基地局によって、システムブロードキャストを使用することによって通知される第１のランダムアクセスリソースの構成情報と、ダウンリンク制御情報（ＤＣＩ）を使用することによって通知される第２のランダムアクセスリソースの構成情報とを決定するステップと、
前記基地局によって、前記システムブロードキャストを使用することによって前記第１のランダムアクセスリソースの前記構成情報を端末（ＵＥ）に通知するステップと、
前記基地局によって、前記ＤＣＩを使用することによって前記第２のランダムアクセスリソースの前記構成情報を前記ＵＥに通知するステップと
を含み、
前記ランダムアクセス規則は、以下の規則、すなわち、
前記ランダムアクセスリソースをランダムに選択すること、
前記ＵＥの時間周波数リソースに最も近い前記ランダムアクセスリソースを選択すること、
前記ＵＥのタイプに従って、前記ランダムアクセスリソースを選択すること、または
前記ＵＥのアクセス理由に従って、前記ランダムアクセスリソースを選択すること、のうちの少なくとも１つを含み、
両方の前記通知するステップでは、前記第１のランダムアクセスリソースの前記構成情報、および前記第２のランダムアクセスリソースの前記構成情報は、前記第１のランダムアクセスリソースまたは前記第２のランダムアクセスリソースのいずれかが、前記規則の組み合わせに従って優先的に選択可能なように通知される
ことを特徴とするランダムアクセス方法。
【請求項６】
端末（ＵＥ）であって、前記ＵＥは、受信ユニット、選択ユニット、およびアクセスユニットを備え、
前記受信ユニットは、基地局により通知されたランダムアクセスリソースの構成情報を受信するように構成され、前記ランダムアクセスリソースの前記構成情報は、システムブロードキャストを使用することによって前記基地局により通知される第１のランダムアクセスリソースの構成情報と、ダウンリンク制御情報（ＤＣＩ）を使用することによって前記基地局により通知される第２のランダムアクセスリソースの構成情報とを含み、
前記選択ユニットは、ランダムアクセス規則と、前記基地局により通知される前記ランダムアクセスリソースの前記構成情報とに従って、前記第１のランダムアクセスリソースおよび前記第２のランダムアクセスリソースから、ランダムアクセスリソースを選択するように構成され、
前記アクセスユニットは、前記ランダムアクセスリソースに従ってランダムアクセスを開始するように構成され、
前記ランダムアクセス規則は、以下の規則、すなわち、
前記ランダムアクセスリソースをランダムに選択すること、
前記ＵＥの時間周波数リソースに最も近い前記ランダムアクセスリソースを選択すること、
前記ＵＥのタイプに従って、前記ランダムアクセスリソースを選択すること、または
前記ＵＥのアクセス理由に従って、前記ランダムアクセスリソースを選択すること、のうちの少なくとも１つを含み、
前記選択ユニットは、前記第１のランダムアクセスリソースまたは前記第２のランダムアクセスリソースのいずれかが、前記規則の組み合わせに従って優先的に選択可能なように前記ランダムアクセスリソースを選択するように構成される
ことを特徴とする端末ＵＥ。
【請求項７】
前記ランダムアクセス規則が、前記ランダムアクセスリソースを前記ランダムに選択することを含む場合、前記選択ユニットは、
乱数を生成し、
前記乱数と、確率因子と、前記基地局により通知される前記ランダムアクセスリソースの前記構成情報とに従って、前記第１のランダムアクセスリソースおよび前記第２のランダムアクセスリソースから、前記ランダムアクセスリソースを選択するように特に構成されることを特徴とする請求項６に記載のＵＥ。
【請求項８】
前記選択ユニットは、
前記乱数が前記確率因子よりも大きい場合、前記基地局により通知される前記ランダムアクセスリソースの前記構成情報に従って、前記第１のランダムアクセスリソースを選択する、もしくは
前記乱数が前記確率因子よりも大きくない場合、前記基地局により通知される前記ランダムアクセスリソースの前記構成情報に従って、前記第２のランダムアクセスリソースを選択するように特に構成され、または
前記選択ユニットは、
前記乱数が前記確率因子よりも大きい場合、前記基地局により通知される前記ランダムアクセスリソースの前記構成情報に従って、前記第２のランダムアクセスリソースを選択する、もしくは
前記乱数が前記確率因子よりも大きくない場合、前記基地局により通知される前記ランダムアクセスリソースの前記構成情報に従って、前記第１のランダムアクセスリソースを選択するように特に構成されることを特徴とする請求項７に記載のＵＥ。
【請求項９】
前記確率因子は、前記システムブロードキャストの通知に従って取得されることを特徴とする請求項７または８に記載のＵＥ。
【請求項１０】
基地局であって、決定ユニットおよび通知ユニットを備え、
前記決定ユニットは、システムブロードキャストを使用することによって通知される第１のランダムアクセスリソースの構成情報と、ダウンリンク制御情報（ＤＣＩ）を使用することによって通知される第２のランダムアクセスリソースの構成情報とを決定するように構成され、
前記通知ユニットは、前記システムブロードキャストを使用することによって前記第１のランダムアクセスリソースの前記構成情報を端末（ＵＥ）に通知し、
前記ＤＣＩを使用することによって前記第２のランダムアクセスリソースの前記構成情報を前記ＵＥに通知するように構成され、
前記第１のランダムアクセスリソースの前記構成情報は、ランダムアクセス規則を含み、
前記ランダムアクセス規則は、以下の規則、すなわち、
前記ランダムアクセスリソースをランダムに選択すること、
予め送信されたサービスのタイプに従って前記ランダムアクセスリソースを選択すること、
前記ＵＥの時間周波数リソースに最も近い前記ランダムアクセスリソースを選択すること、
前記ＵＥのタイプに従って前記ランダムアクセスリソースを選択すること、または
前記ＵＥのアクセス理由に従って前記ランダムアクセスリソースを選択すること、のうちの少なくとも１つを含み、
前記通知ユニットは、前記ＵＥに対して、前記第１のランダムアクセスリソースまたは前記第２のランダムアクセスリソースのいずれかが前記規則の組み合わせに従って優先的に選択可能なように、前記第１のランダムアクセスリソースの前記構成情報、および前記第２のランダムアクセスリソースの前記構成情報を通知するように構成される
ことを特徴とする基地局。
【請求項１１】
コンピュータ記憶媒体であって、前記コンピュータ記憶媒体はプログラムを記憶し得、前記プログラムが実行されるときに、請求項１ないし５のいずれか１項に記載の方法が含まれ得るコンピュータ記憶媒体。
【発明の詳細な説明】
【技術分野】
【０００１】
本発明は、無線通信の分野に関し、特に、ランダムアクセス方法、端末、および基地局に関する。
【背景技術】
【０００２】
無線通信システムにおいて、緊急のアップリンクサービスが発生したときにネットワークへのランダムアクセス中に端末（ユーザ機器、ＵＥ）によって使用されるランダムアクセスリソースがある。ＵＥがネットワークへの接続を確立するプロセスは、ランダムアクセスプロセスと呼ばれる。
【０００３】
現在、多くのシステムでは、ランダムアクセスリソースは、システムブロードキャストを使用することによって構成される。しかしながら、システムブロードキャストを使用することによってランダムアクセスリソースが構成されると、構成が変更される必要がある場合、変更期間内でのみ変更が行われることが可能である。結果として、そのような変更は比較的遅く行われる。そのような構成方法は、実際的には「準静的」構成方法である。さらに、システムブロードキャストを使用する構成が変更されると、全てのＵＥは通知される必要があり、非常に高いコストを生じる。したがって、一部のマシンツーマシン（Machine-to-Machine、略してＭ２Ｍ）通信システムにおいては、火災または地震などの緊急事態が発生した場合に、ネットワークがランダムアクセスリソースの構成を迅速に変更する必要があり、ネットワーク輻輳が容易に生じる。ランダムアクセスのために過剰なアップリンクリソースがかなり長い期間に構成される場合、これらのリソースは、ＵＥによってアップリンクデータを送信するために使用されることができず、多くのリソースの浪費をもたらす。
【０００４】
したがって、ランダムアクセスリソースをどのように柔軟に構成するかは、緊急の解決を必要とする技術的問題となっている。
【発明の概要】
【０００５】
本発明の実施形態は、ランダムアクセスリソースが柔軟に構成されることができないという従来技術の問題を少なくとも解決し、ランダムアクセスリソースを構成する際の柔軟性を改善するための、ランダムアクセス方法、端末、および基地局を提供する。
【０００６】
上記の目的を達成するために、本発明の実施形態において下記の技術的解決策が使用される。
【０００７】
第１の態様によれば、ランダムアクセス方法が提供され、方法は、
端末（ＵＥ）によって、基地局により通知されたランダムアクセスリソースの構成情報を受信することであって、ランダムアクセスリソースの構成情報は、システムブロードキャストを使用することによって基地局により通知される第１のランダムアクセスリソースの構成情報と、ダウンリンク制御情報（ＤＣＩ）を使用することによって基地局により通知される第２のランダムアクセスリソースの構成情報とを含む、ことと、
ＵＥによって、ランダムアクセス規則と、基地局により通知されるランダムアクセスリソースの構成情報とに従って、第１のランダムアクセスリソースおよび第２のランダムアクセスリソースから、ランダムアクセスリソースを選択することと、
ＵＥによって、ランダムアクセスリソースに従ってランダムアクセスを開始することとを含む。
【０００８】
第１の態様を参照して、第１の態様の第１の可能な実装態様では、ランダムアクセス規則は、以下の規則、すなわち、
ランダムアクセスリソースをランダムに選択すること、
予め送信されたサービスのタイプに従ってランダムアクセスリソースを選択すること、
ＵＥの時間周波数リソースに最も近いランダムアクセスリソースを選択すること、
ＵＥのタイプに従ってランダムアクセスリソースを選択すること、または
ＵＥのアクセス理由に従ってランダムアクセスリソースを選択すること
のうちの少なくとも１つを含む。
【０００９】
第１の態様の第１の可能な実装態様を参照して、第１の態様の第２の可能な実装態様では、ランダムアクセス規則が、ランダムアクセスリソースをランダムに選択することを含む場合、ＵＥによって、ランダムアクセス規則と、基地局により通知されるランダムアクセスリソースの構成情報とに従って、第１のランダムアクセスリソースおよび第２のランダムアクセスリソースから、ランダムアクセスリソースを選択することは、
ＵＥによって、乱数を生成することと、
ＵＥによって、乱数と、確率因子と、基地局により通知されるランダムアクセスリソースの構成情報とに従って、第１のランダムアクセスリソースおよび第２のランダムアクセスリソースから、ランダムアクセスリソースを選択することとを含む。
【００１０】
第１の態様の第２の可能な実装態様を参照して、第１の態様の第３の可能な実装態様では、ＵＥによって、乱数と、確率因子と、基地局により通知されるランダムアクセスリソースの構成情報とに従って、第１のランダムアクセスリソースおよび第２のランダムアクセスリソースから、ランダムアクセスリソースを選択することは、
乱数が確率因子よりも大きい場合、ＵＥによって、基地局により通知されるランダムアクセスリソースの構成情報に従って、第１のランダムアクセスリソースを選択すること、もしくは
乱数が確率因子よりも大きくない場合、ＵＥによって、基地局により通知されるランダムアクセスリソースの構成情報に従って、第２のランダムアクセスリソースを選択することを含み、または
ＵＥによって、乱数と、確率因子と、基地局により通知されるランダムアクセスリソースの構成情報とに従って、第１のランダムアクセスリソースおよび第２のランダムアクセスリソースから、ランダムアクセスリソースを選択することは、
乱数が確率因子よりも大きい場合、ＵＥによって、基地局により通知されるランダムアクセスリソースの構成情報に従って、第２のランダムアクセスリソースを選択すること、もしくは
乱数が確率因子よりも大きくない場合、ＵＥによって、基地局により通知されるランダムアクセスリソースの構成情報に従って、第１のランダムアクセスリソースを選択することを含む。
【００１１】
第１の態様の第２の可能な実装態様、または第１の態様の第３の可能な実装態様を参照して、第１の態様の第４の可能な実装態様では、確率因子は、システムブロードキャストの通知に従って取得される。
【００１２】
第１の態様の第１の可能な実装態様を参照して、第１の態様の第５の可能な実装態様では、ランダムアクセス規則が、予め送信されたサービスのタイプに従ってランダムアクセスリソースを選択することを含む場合、ＵＥによって、ランダムアクセス規則と、基地局により通知されるランダムアクセスリソースの構成情報とに従って、第１のランダムアクセスリソースおよび第２のランダムアクセスリソースから、ランダムアクセスリソースを選択することは、
予め送信されたサービスが周期的サービスである場合、ＵＥによって、基地局により通知されるランダムアクセスリソースの構成情報に従って、第１のランダムアクセスリソースを選択すること、もしくは
予め送信されたサービスが緊急サービスである場合、ＵＥによって、基地局により通知されるランダムアクセスリソースの構成情報に従って、第２のランダムアクセスリソースを選択することを含み、または
ＵＥによって、ランダムアクセス規則と、基地局により通知されるランダムアクセスリソースの構成情報とに従って、第１のランダムアクセスリソースおよび第２のランダムアクセスリソースから、ランダムアクセスリソースを選択することは、
予め送信されたサービスが遅延に対する要件を有する場合、ＵＥによって、基地局により通知されるランダムアクセスリソースの構成情報に従って、第１のランダムアクセスリソースを選択すること、もしくは
予め送信されたサービスが遅延に対する要件を有しない場合、ＵＥによって、基地局により通知されるランダムアクセスリソースの構成情報に従って、第２のランダムアクセスリソースを選択することを含む。
【００１３】
第１の態様の第１の可能な実装態様を参照して、第１の態様の第６の可能な実装態様では、ランダムアクセス規則が、ＵＥの時間周波数リソースに最も近いランダムアクセスリソースを選択することを含む場合、ＵＥによって、ランダムアクセス規則と、基地局により通知されるランダムアクセスリソースの構成情報とに従って、第１のランダムアクセスリソースおよび第２のランダムアクセスリソースから、ランダムアクセスリソースを選択することは、
ＵＥによって、基地局により通知されるランダムアクセスリソースの構成情報に従って、第１のランダムアクセスリソースおよび第２のランダムアクセスリソースから、ＵＥの時間周波数リソースに最も近いランダムアクセスリソースを選択することを含む。
【００１４】
第１の態様の第１の可能な実装態様を参照して、第１の態様の第７の可能な実装態様では、ランダムアクセス規則が、ＵＥのタイプに従ってランダムアクセスリソースを選択することを含む場合、ＵＥによって、ランダムアクセス規則と、基地局により通知されるランダムアクセスリソースの構成情報とに従って、第１のランダムアクセスリソースおよび第２のランダムアクセスリソースから、ランダムアクセスリソースを選択することは、
ＵＥの優先度が第１の優先度である場合、ＵＥによって、基地局により通知されるランダムアクセスリソースの構成情報に従って、第１のランダムアクセスリソースを選択すること、または
ＵＥの優先度が第２の優先度である場合、ＵＥによって、基地局により通知されるランダムアクセスリソースの構成情報に従って、第２のランダムアクセスリソースを選択することを含む。
【００１５】
第１の態様の第１の可能な実装態様を参照して、第８の可能な実装態様では、ランダムアクセス規則が、ＵＥのアクセス理由に従ってランダムアクセスリソースを選択することを含む場合、ＵＥによって、ランダムアクセス規則と、基地局により通知されるランダムアクセスリソースの構成情報とに従って、第１のランダムアクセスリソースおよび第２のランダムアクセスリソースから、ランダムアクセスリソースを選択することは、
ＵＥのアクセス理由が緊急呼出しである場合、ＵＥによって、基地局により通知されるランダムアクセスリソースの構成情報に従って、第１のランダムアクセスリソースを選択すること、または
ＵＥのアクセス理由が通常の呼出しである場合、ＵＥによって、基地局により通知されるランダムアクセスリソースの構成情報に従って、第２のランダムアクセスリソースを選択することを含む。
【００１６】
第２の態様によれば、ランダムアクセス方法が提供され、方法は、
基地局によって、システムブロードキャストを使用することによって通知される第１のランダムアクセスリソースの構成情報と、ダウンリンク制御情報（ＤＣＩ）を使用することによって通知される第２のランダムアクセスリソースの構成情報とを決定することと、
基地局によって、システムブロードキャストを使用することによって第１のランダムアクセスリソースの構成情報を端末（ＵＥ）に通知することと、
基地局によって、ＤＣＩを使用することによって第２のランダムアクセスリソースの構成情報をＵＥに通知することとを含む。
【００１７】
第２の態様を参照して、第２の態様の第１の可能な実装態様では、第１のランダムアクセスリソースの構成情報は、ランダムアクセス規則を含む。
【００１８】
第２の態様を参照して、第２の態様の第２の可能な実装態様では、方法は、
基地局によって、システムブロードキャストを使用することによってランダムアクセス規則をＵＥに通知することをさらに含む。
【００１９】
第２の態様の第１の可能な実装態様、または第２の態様の第２の可能な実装態様を参照して、第２の態様の第３の可能な実装態様では、ランダムアクセス規則は、以下の規則、すなわち、
ランダムアクセスリソースをランダムに選択すること、
予め送信されたサービスのタイプに従ってランダムアクセスリソースを選択すること、
ＵＥの時間周波数リソースに最も近いランダムアクセスリソースを選択すること、
ＵＥのタイプに従ってランダムアクセスリソースを選択すること、または
ＵＥのアクセス理由に従ってランダムアクセスリソースを選択すること
のうちの少なくとも１つを含む。
【００２０】
第３の態様によれば、端末（ＵＥ）が提供され、ＵＥは、受信ユニット、選択ユニット、およびアクセスユニットを備え、
受信ユニットは、基地局により通知されたランダムアクセスリソースの構成情報を受信するように構成され、ランダムアクセスリソースの構成情報は、システムブロードキャストを使用することによって基地局により通知される第１のランダムアクセスリソースの構成情報と、ダウンリンク制御情報（ＤＣＩ）を使用することによって基地局により通知される第２のランダムアクセスリソースの構成情報とを含み、
選択ユニットは、ランダムアクセス規則と、基地局により通知されるランダムアクセスリソースの構成情報とに従って、第１のランダムアクセスリソースおよび第２のランダムアクセスリソースから、ランダムアクセスリソースを選択するように構成され、
アクセスユニットは、ランダムアクセスリソースに従ってランダムアクセスを開始するように構成される。
【００２１】
第３の態様を参照して、第３の態様の第１の可能な実装態様では、ランダムアクセス規則は、以下の規則、すなわち、
ランダムアクセスリソースをランダムに選択すること、
予め送信されたサービスのタイプに従ってランダムアクセスリソースを選択すること、
ＵＥの時間周波数リソースに最も近いランダムアクセスリソースを選択すること、
ＵＥのタイプに従ってランダムアクセスリソースを選択すること、または
ＵＥのアクセス理由に従ってランダムアクセスリソースを選択すること
のうちの少なくとも１つを含む。
【００２２】
第３の態様の第１の可能な実装態様を参照して、第３の態様の第２の可能な実装態様では、ランダムアクセス規則が、ランダムアクセスリソースをランダムに選択することを含む場合、選択ユニットは、
乱数を生成し、
乱数と、確率因子と、基地局により通知されるランダムアクセスリソースの構成情報とに従って、第１のランダムアクセスリソースおよび第２のランダムアクセスリソースから、ランダムアクセスリソースを選択するように特に構成される。
【００２３】
第３の態様の第２の可能な実装態様を参照して、第３の態様の第３の可能な実装態様では、選択ユニットは、
乱数が確率因子よりも大きい場合、基地局により通知されるランダムアクセスリソースの構成情報に従って、第１のランダムアクセスリソースを選択する、もしくは
乱数が確率因子よりも大きくない場合、基地局により通知されるランダムアクセスリソースの構成情報に従って、第２のランダムアクセスリソースを選択するように特に構成され、または
選択ユニットは、
乱数が確率因子よりも大きい場合、基地局により通知されるランダムアクセスリソースの構成情報に従って、第２のランダムアクセスリソースを選択する、もしくは
乱数が確率因子よりも大きくない場合、基地局により通知されるランダムアクセスリソースの構成情報に従って、第１のランダムアクセスリソースを選択するように特に構成される。
【００２４】
第３の態様の第２の可能な実装態様、または第３の態様の第３の可能な実装態様を参照して、第３の態様の第４の可能な実装態様では、確率因子は、システムブロードキャストの通知に従って取得される。
【００２５】
第３の態様の第１の可能な実装態様を参照して、第３の態様の第５の可能な実装態様では、ランダムアクセス規則が、予め送信されたサービスのタイプに従ってランダムアクセスリソースを選択することを含む場合、選択ユニットは、
予め送信されたサービスが周期的サービスである場合、基地局により通知されるランダムアクセスリソースの構成情報に従って、第１のランダムアクセスリソースを選択する、もしくは
予め送信されたサービスが緊急サービスである場合、基地局により通知されるランダムアクセスリソースの構成情報に従って、第２のランダムアクセスリソースを選択するように特に構成され、または
選択ユニットは、
予め送信されたサービスが遅延に対する要件を有する場合、基地局により通知されるランダムアクセスリソースの構成情報に従って、第１のランダムアクセスリソースを選択する、もしくは
予め送信されたサービスが遅延に対する要件を有しない場合、基地局により通知されるランダムアクセスリソースの構成情報に従って、第２のランダムアクセスリソースを選択するように特に構成される。
【００２６】
第３の態様の第１の可能な実装態様を参照して、第３の態様の第６の可能な実装態様では、ランダムアクセス規則が、ＵＥの時間周波数リソースに最も近いランダムアクセスリソースを選択することを含む場合、選択ユニットは、
基地局により通知されるランダムアクセスリソースの構成情報に従って、第１のランダムアクセスリソースおよび第２のランダムアクセスリソースから、ＵＥの時間周波数リソースに最も近いランダムアクセスリソースを選択するように特に構成される。
【００２７】
第３の態様の第１の可能な実装態様を参照して、第３の態様の第７の可能な実装態様では、ランダムアクセス規則が、ＵＥのタイプに従ってランダムアクセスリソースを選択することを含む場合、選択ユニットは、
ＵＥの優先度が第１の優先度である場合、基地局により通知されるランダムアクセスリソースの構成情報に従って、第１のランダムアクセスリソースを選択する、または
ＵＥの優先度が第２の優先度である場合、基地局により通知されるランダムアクセスリソースの構成情報に従って、第２のランダムアクセスリソースを選択するように特に構成される。
【００２８】
第３の態様の第１の可能な実装態様を参照して、第８の可能な実装態様では、ランダムアクセス規則が、ＵＥのアクセス理由に従ってランダムアクセスリソースを選択することを含む場合、選択ユニットは、
ＵＥのアクセス理由が緊急呼出しである場合、基地局により通知されるランダムアクセスリソースの構成情報に従って、第１のランダムアクセスリソースを選択する、または
ＵＥのアクセス理由が通常の呼出しである場合、基地局により通知されるランダムアクセスリソースの構成情報に従って、第２のランダムアクセスリソースを選択するように特に構成される。
【００２９】
第４の態様によれば、基地局が提供され、基地局は、決定ユニットおよび通知ユニットを備え、
決定ユニットは、システムブロードキャストを使用することによって通知される第１のランダムアクセスリソースの構成情報と、ダウンリンク制御情報（ＤＣＩ）を使用することによって通知される第２のランダムアクセスリソースの構成情報とを決定するように構成され、
通知ユニットは、システムブロードキャストを使用することによって第１のランダムアクセスリソースの構成情報を端末（ＵＥ）に通知し、
ＤＣＩを使用することによって第２のランダムアクセスリソースの構成情報をＵＥに通知するように構成される。
【００３０】
第４の態様を参照して、第４の態様の第１の可能な実装態様では、第１のランダムアクセスリソースの構成情報は、ランダムアクセス規則を含む。
【００３１】
第４の態様を参照して、第４の態様の第２の可能な実装態様では、通知ユニットは、システムブロードキャストを使用することによってランダムアクセス規則をＵＥに通知するようにさらに構成される。
【００３２】
第４の態様の第１の可能な実装態様、または第４の態様の第２の可能な実装態様を参照して、第４の態様の第３の可能な実装態様では、ランダムアクセス規則は、以下の規則、すなわち、
ランダムアクセスリソースをランダムに選択すること、
予め送信されたサービスのタイプに従ってランダムアクセスリソースを選択すること、
ＵＥの時間周波数リソースに最も近いランダムアクセスリソースを選択すること、
ＵＥのタイプに従ってランダムアクセスリソースを選択すること、または
ＵＥのアクセス理由に従ってランダムアクセスリソースを選択すること
のうちの少なくとも１つを含む。
【００３３】
第５の態様によれば、端末（ＵＥ）が提供され、ＵＥは、受信機およびプロセッサを備え、
受信機は、基地局により通知されたランダムアクセスリソースの構成情報を受信するように構成され、ランダムアクセスリソースの構成情報は、システムブロードキャストを使用することによって基地局により通知される第１のランダムアクセスリソースの構成情報と、ダウンリンク制御情報（ＤＣＩ）を使用することによって基地局により通知される第２のランダムアクセスリソースの構成情報とを含み、
プロセッサは、ランダムアクセス規則と、基地局により通知されるランダムアクセスリソースの構成情報とに従って、第１のランダムアクセスリソースおよび第２のランダムアクセスリソースから、ランダムアクセスリソースを選択するように構成され、
プロセッサは、ランダムアクセスリソースに従ってランダムアクセスを開始するようにさらに構成される。
【００３４】
第５の態様を参照して、第５の態様の第１の可能な実装態様では、ランダムアクセス規則は、以下の規則、すなわち、
ランダムアクセスリソースをランダムに選択すること、
予め送信されたサービスのタイプに従ってランダムアクセスリソースを選択すること、
ＵＥの時間周波数リソースに最も近いランダムアクセスリソースを選択すること、
ＵＥのタイプに従ってランダムアクセスリソースを選択すること、または
ＵＥのアクセス理由に従ってランダムアクセスリソースを選択すること
のうちの少なくとも１つを含む。
【００３５】
第５の態様の第１の可能な実装態様を参照して、第５の態様の第２の可能な実装態様では、ランダムアクセス規則が、ランダムアクセスリソースをランダムに選択することを含む場合、プロセッサは、
乱数を生成し、
乱数と、確率因子と、基地局により通知されるランダムアクセスリソースの構成情報とに従って、第１のランダムアクセスリソースおよび第２のランダムアクセスリソースから、ランダムアクセスリソースを選択するように特に構成される。
【００３６】
第５の態様の第２の可能な実装態様を参照して、第５の態様の第３の可能な実装態様では、プロセッサは、
乱数が確率因子よりも大きい場合、基地局により通知されるランダムアクセスリソースの構成情報に従って、第１のランダムアクセスリソースを選択する、もしくは
乱数が確率因子よりも大きくない場合、基地局により通知されるランダムアクセスリソースの構成情報に従って、第２のランダムアクセスリソースを選択するように特に構成され、または
プロセッサは、
乱数が確率因子よりも大きい場合、基地局により通知されるランダムアクセスリソースの構成情報に従って、第２のランダムアクセスリソースを選択する、もしくは
乱数が確率因子よりも大きくない場合、基地局により通知されるランダムアクセスリソースの構成情報に従って、第１のランダムアクセスリソースを選択するように特に構成される。
【００３７】
第５の態様の第２の可能な実装態様、または第５の態様の第３の可能な実装態様を参照して、第５の態様の第４の可能な実装態様では、確率因子は、システムブロードキャストの通知に従って取得される。
【００３８】
第５の態様の第１の可能な実装態様を参照して、第５の態様の第５の可能な実装態様では、ランダムアクセス規則が、予め送信されたサービスのタイプに従ってランダムアクセスリソースを選択することを含む場合、プロセッサは、
予め送信されたサービスが周期的サービスである場合、基地局により通知されるランダムアクセスリソースの構成情報に従って、第１のランダムアクセスリソースを選択する、もしくは
予め送信されたサービスが緊急サービスである場合、基地局により通知されるランダムアクセスリソースの構成情報に従って、第２のランダムアクセスリソースを選択するように特に構成され、または
プロセッサは、
予め送信されたサービスが遅延に対する要件を有する場合、基地局により通知されるランダムアクセスリソースの構成情報に従って、第１のランダムアクセスリソースを選択する、もしくは
予め送信されたサービスが遅延に対する要件を有しない場合、基地局により通知されるランダムアクセスリソースの構成情報に従って、第２のランダムアクセスリソースを選択するように特に構成される。
【００３９】
第５の態様の第１の可能な実装態様を参照して、第５の態様の第６の可能な実装態様では、ランダムアクセス規則が、ＵＥの時間周波数リソースに最も近いランダムアクセスリソースを選択することを含む場合、プロセッサは、
基地局により通知されるランダムアクセスリソースの構成情報に従って、第１のランダムアクセスリソースおよび第２のランダムアクセスリソースから、ＵＥの時間周波数リソースに最も近いランダムアクセスリソースを選択するように特に構成される。
【００４０】
第５の態様の第１の可能な実装態様を参照して、第５の態様の第７の可能な実装態様では、ランダムアクセス規則が、ＵＥのタイプに従ってランダムアクセスリソースを選択することを含む場合、プロセッサは、
ＵＥの優先度が第１の優先度である場合、基地局により通知されるランダムアクセスリソースの構成情報に従って、第１のランダムアクセスリソースを選択する、または
ＵＥの優先度が第２の優先度である場合、基地局により通知されるランダムアクセスリソースの構成情報に従って、第２のランダムアクセスリソースを選択するように特に構成される。
【００４１】
第５の態様の第１の可能な実装態様を参照して、第５の態様の第８の可能な実装態様では、ランダムアクセス規則が、ＵＥのアクセス理由に従ってランダムアクセスリソースを選択することを含む場合、プロセッサは、
ＵＥのアクセス理由が緊急呼出しである場合、基地局により通知されるランダムアクセスリソースの構成情報に従って、第１のランダムアクセスリソースを選択する、または
ＵＥのアクセス理由が通常の呼出しである場合、基地局により通知されるランダムアクセスリソースの構成情報に従って、第２のランダムアクセスリソースを選択するように特に構成される。
【００４２】
第６の態様によれば、基地局が提供され、基地局は、プロセッサおよび送信機を備え、
プロセッサは、システムブロードキャストを使用することによって通知される第１のランダムアクセスリソースの構成情報と、ダウンリンク制御情報（ＤＣＩ）を使用することによって通知される第２のランダムアクセスリソースの構成情報とを決定するように構成され、
送信機は、システムブロードキャストを使用することによって第１のランダムアクセスリソースの構成情報を端末（ＵＥ）に通知し、
ＤＣＩを使用することによって第２のランダムアクセスリソースの構成情報をＵＥに通知するように構成される。
【００４３】
第６の態様を参照して、第６の態様の第１の可能な実装態様では、第１のランダムアクセスリソースの構成情報は、ランダムアクセス規則を含む。
【００４４】
第６の態様を参照して、第６の態様の第２の可能な実装態様では、送信機は、システムブロードキャストを使用することによってランダムアクセス規則をＵＥに通知するようにさらに構成される。
【００４５】
第６の態様の第１の可能な実装態様、または第６の態様の第２の可能な実装態様を参照して、第６の態様の第３の可能な実装態様では、ランダムアクセス規則は、以下の規則、すなわち、
ランダムアクセスリソースをランダムに選択すること、
予め送信されたサービスのタイプに従ってランダムアクセスリソースを選択すること、
ＵＥの時間周波数リソースに最も近いランダムアクセスリソースを選択すること、
ＵＥのタイプに従ってランダムアクセスリソースを選択すること、または
ＵＥのアクセス理由に従ってランダムアクセスリソースを選択すること
のうちの少なくとも１つを含む。
【００４６】
本発明の実施形態は、ランダムアクセス方法、端末、および基地局を提供する。方法は、ＵＥによって、基地局により通知されたランダムアクセスリソースの構成情報を受信することであって、ランダムアクセスリソースの構成情報は、システムブロードキャストを使用することによって基地局により通知される第１のランダムアクセスリソースの構成情報と、ダウンリンク制御情報（ＤＣＩ）を使用することによって基地局により通知される第２のランダムアクセスリソースの構成情報とを含む、ことと、ＵＥによって、ランダムアクセス規則と、基地局により通知されるランダムアクセスリソースの構成情報とに従って、第１のランダムアクセスリソースおよび第２のランダムアクセスリソースから、ランダムアクセスリソースを選択することと、ＵＥによって、ランダムアクセスリソースに従ってランダムアクセスを開始することとを含む。本発明の実施形態において提供される上記の解決策に基づき、本発明の実施形態では、ＵＥは、ランダムアクセス規則と、システムブロードキャストを使用することによって基地局により通知される第１のランダムアクセスリソースの構成情報と、ＤＣＩを使用することによって基地局により通知される第２のランダムアクセスリソースの構成情報とに従って、第１のランダムアクセスリソースおよび第２のランダムアクセスリソースから、ランダムアクセスリソースを選択し得る。基地局は、基地局がシステムブロードキャストを送信するよりも頻繁にＤＣＩを送信し、より多くのアイドルアップリンクリソースがランダムアクセスのために割り当てられることが可能であると考えられる。したがって、火災または地震などの緊急事態が発生し、ネットワークが、ランダムアクセスリソースの構成を迅速に変更する必要があり、より多くのアップリンクデータリソースが必要とされるとき、ＵＥは、ＤＣＩを使用することによって基地局により通知される第２のランダムアクセスリソースの構成情報に対応する第２のランダムアクセスリソースに従って、ランダムアクセスを開始し得る。システムブロードキャストを使用することによって基地局により通知される第１のランダムアクセスリソースの構成情報は、比較的固定される。したがって、ＵＥは、構成情報に対応する第１のランダムアクセスリソースに従って、ランダムアクセスを直接開始することがあり、それによりＵＥの待ち時間が減少する。すなわち、ＵＥは、ランダムアクセス規則に従って、ランダムアクセスリソースを柔軟に選択してランダムアクセスを開始することがあり、それにより、ランダムアクセスリソースが柔軟に構成されることができないという従来技術の問題を回避し、したがって、ランダムアクセスリソースを構成する柔軟性が改善されることが可能であり、それにより最適な構成を実現する。
【図面の簡単な説明】
【００４７】
本発明の実施形態または従来技術における技術的解決策をより明確に説明するために、実施形態または従来技術を説明するのに必要とされる添付図面を以下簡単に説明する。明らかに、下記の説明における添付図面は、本発明の一部の実施形態を示すに過ぎず、当業者は、これらの添付図面から創作的な努力なしに他の図面をなお導き出し得る。
【図１】本発明の実施形態によるランダムアクセス方法の第１の概略フローチャートである。
【図２】本発明の実施形態によるランダムアクセス方法の第２の概略フローチャートである。
【図３】本発明の実施形態によるランダムアクセス方法の相互作用の概略図である。
【図４】本発明の実施形態によるＵＥの第１の概略構成図である。
【図５】本発明の実施形態による基地局の第１の概略構成図である。
【図６】本発明の実施形態によるＵＥの第２の概略構成図である。
【図７】本発明の実施形態による基地局の第２の概略構成図である。
【発明を実施するための形態】
【００４８】
以下、本発明の実施形態における添付図面を参照して、本発明の実施形態における技術的解決策を明確かつ完全に説明する。明らかに、説明される実施形態は、一部に過ぎず、本発明の実施形態の全てではない。創作的な努力なしに本発明の実施形態に基づき当業者によって得られる全ての他の実施形態は、本発明の保護範囲内に入るものとする。
【００４９】
本発明の実施形態における技術的解決策の明確な説明を容易にするため、「第１」または「第２」などの語が本発明の実施形態で使用されて、基本的に同じ機能または目的を提供する同じ要素または類似の要素を区別することに留意されたい。当業者は、「第１」または「第２」などの語が量および実行順序を限定しないことを理解し得る。
【００５０】
本発明の以下の実施形態では、ランダムアクセスリソースの構成情報は、時間周波数リソース番号、シーケンス、変調および符号化方式（Modulation and Coding Scheme、略してＭＣＳ）などを特に含み得ることに留意されたい。ランダムアクセスリソースは、時間周波数リソースおよびシーケンスなどを特に含み得る。これは、本発明の実施形態において特に限定されない。
【００５１】
実施形態１
本発明のこの実施形態は、図１に示されるように、以下のステップを含むランダムアクセス方法を提供する。
【００５２】
Ｓ１０１：ＵＥは、基地局により通知されたランダムアクセスリソースの構成情報を受信し、ランダムアクセスリソースの構成情報は、システムブロードキャストを使用することによって基地局により通知される第１のランダムアクセスリソースの構成情報と、ダウンリンク制御情報（Downlink Control Information、略してＤＣＩ）を使用することによって基地局により通知される第２のランダムアクセスリソースの構成情報とを含む。
【００５３】
Ｓ１０２：ＵＥは、ランダムアクセス規則と、基地局により通知されるランダムアクセスリソースの構成情報とに従って、第１のランダムアクセスリソースおよび第２のランダムアクセスリソースから、ランダムアクセスリソースを選択する。
【００５４】
Ｓ１０３：ＵＥは、ランダムアクセスリソースに従ってランダムアクセスを開始する。
【００５５】
特に、本発明のこの実施形態において提供されるランダムアクセス方法において、ＵＥは、ランダムアクセス規則、システムブロードキャストを使用することによって基地局により通知される第１のランダムアクセスリソースの構成情報、およびＤＣＩを使用することによって基地局により通知される第２のランダムアクセスリソースの構成情報に従って、第１のランダムアクセスリソースおよび第２のランダムアクセスリソースから、ランダムアクセスリソースを選択し、次いで、ランダムアクセスを開始し得る。ランダムアクセス規則は、ＵＥにおいて予め構成されてよく、または基地局によってＵＥに送信されてよい。たとえば、ランダムアクセス規則は、第１のランダムアクセスリソースの構成情報を使用することによって搬送される、または、ランダムアクセス規則は、システムブロードキャストを使用することによって通知される。これは、本発明のこの実施形態において特に限定されない。
【００５６】
ランダムアクセス規則は、以下の規則、すなわち、
ランダムアクセスリソースをランダムに選択すること、
予め送信されたサービスのタイプに従ってランダムアクセスリソースを選択すること、
ＵＥの時間周波数リソースに最も近いランダムアクセスリソースを選択すること、
ＵＥのタイプに従ってランダムアクセスリソースを選択すること、または
ＵＥのアクセス理由に従ってランダムアクセスリソースを選択すること
のうちの少なくとも１つを含み得る。
【００５７】
本発明のこの実施形態におけるランダムアクセス規則は、１つのタイプの規則であってよく、または複数のタイプの規則の組み合わせであってよいことに留意されたい。たとえば、ランダムアクセス規則は、予め送信されたサービスのタイプとＵＥのタイプとに従って、ランダムアクセスリソースを選択すること、または予め送信されたサービスのタイプとＵＥのアクセス理由とに従って、ランダムアクセスリソースを選択することを含み得る。これは、本発明のこの実施形態において特に限定されない。
【００５８】
本発明のこの実施形態におけるランダムアクセス規則は別の規則であってよく、上記で挙げられた特定のランダムアクセス規則に限定されないことが理解され得る。これは、本発明のこの実施形態において特に限定されない。
【００５９】
さらに、本発明のこの実施形態では、異なるランダムアクセス規則に対して、ランダムアクセスリソースを選択する態様が異なる。ランダムアクセス規則に従ってランダムアクセスリソースを選択するいくつかの可能な態様が、以下のように提供される。
【００６０】
態様１
【００６１】
可能な実装態様において、ランダムアクセス規則が、ランダムアクセスリソースをランダムに選択することを含む場合、ＵＥによって、ランダムアクセス規則と、基地局により通知されるランダムアクセスリソースの構成情報とに従って、第１のランダムアクセスリソースおよび第２のランダムアクセスリソースから、ランダムアクセスリソースを選択することは、
ＵＥによって、乱数を生成することと、
ＵＥによって、乱数と、確率因子と、基地局により通知されるランダムアクセスリソースの構成情報とに従って、第１のランダムアクセスリソースおよび第２のランダムアクセスリソースから、ランダムアクセスリソースを選択することとを特に含み得る。
【００６２】
特に、確率因子は、システムブロードキャストの通知に従って取得されてよく、またはＵＥにおいて予め構成されてよい。これは、本発明のこの実施形態において特に限定されない。
【００６３】
ＵＥによって、乱数と、確率因子と、基地局により通知されるランダムアクセスリソースの構成情報とに従って、第１のランダムアクセスリソースおよび第２のランダムアクセスリソースから、ランダムアクセスリソースを選択することは、
乱数が確率因子よりも大きい場合、ＵＥによって、基地局により通知されるランダムアクセスリソースの構成情報に従って、第１のランダムアクセスリソースを選択すること、もしくは
乱数が確率因子よりも大きくない場合、ＵＥによって、基地局により通知されるランダムアクセスリソースの構成情報に従って、第２のランダムアクセスリソースを選択することを特に含んでよい、または
ＵＥによって、乱数と、確率因子と、基地局により通知されるランダムアクセスリソースの構成情報とに従って、第１のランダムアクセスリソースおよび第２のランダムアクセスリソースから、ランダムアクセスリソースを選択することは、
乱数が確率因子よりも大きい場合、ＵＥによって、基地局により通知されるランダムアクセスリソースの構成情報に従って、第２のランダムアクセスリソースを選択すること、もしくは
乱数が確率因子よりも大きくない場合、ＵＥによって、基地局により通知されるランダムアクセスリソースの構成情報に従って、第１のランダムアクセスリソースを選択するステップを含む。
【００６４】
特に、この実装態様では、ＵＥはランダムアクセスリソースをランダムに選択する。たとえば、ＵＥは乱数を生成し得る。乱数が確率因子よりも大きい場合、ＵＥは、基地局により通知されるランダムアクセスリソースの構成情報に従って、第２のランダムアクセスリソースを選択する、または、乱数が確率因子よりも大きくない場合、ＵＥは、基地局により通知されるランダムアクセスリソースの構成情報に従って、第１のランダムアクセスリソースを選択する。たとえば、確率因子が０．５であり、ＵＥによって生成される乱数が０．８であることが想定される。０．８＞０．５であるので、この場合、ＵＥは、ランダムアクセス規則に従ってＤＣＩを監視することを選ぶ、すなわち、ＵＥは、ＤＣＩを使用することによって基地局により通知される第２のランダムアクセスリソースの構成情報に対応する第２のランダムアクセスリソースを選択する。たとえば、確率因子が０．９であり、ＵＥによって生成される乱数が０．８であることが想定される。０．９＞０．８であるので、この場合、ＵＥは、システムブロードキャストを使用することによって基地局により通知される第１のランダムアクセスリソースの構成情報に対応する第１のランダムアクセスリソースを選択する。
【００６５】
態様２
【００６６】
可能な実装態様において、ランダムアクセス規則が、予め送信されたサービスのタイプに従ってランダムアクセスリソースを選択することを含む場合、ＵＥによって、ランダムアクセス規則と、基地局により通知されるランダムアクセスリソースの構成情報とに従って、第１のランダムアクセスリソースおよび第２のランダムアクセスリソースから、ランダムアクセスリソースを選択することは、
予め送信されたサービスが周期的サービスである場合、ＵＥによって、基地局により通知されるランダムアクセスリソースの構成情報に従って、第１のランダムアクセスリソースを選択すること、もしくは
予め送信されたサービスが緊急サービスである場合、ＵＥによって、基地局により通知されるランダムアクセスリソースの構成情報に従って、第２のランダムアクセスリソースを選択することを含む、または
ＵＥによって、ランダムアクセス規則と、基地局により通知されるランダムアクセスリソースの構成情報とに従って、第１のランダムアクセスリソースおよび第２のランダムアクセスリソースから、ランダムアクセスリソースを選択することは、
予め送信されたサービスが遅延に対する要件を有する場合、ＵＥによって、基地局により通知されるランダムアクセスリソースの構成情報に従って、第１のランダムアクセスリソースを選択すること、もしくは
予め送信されたサービスが遅延に対する要件を有しない場合、ＵＥによって、基地局により通知されるランダムアクセスリソースの構成情報に従って、第２のランダムアクセスリソースを選択することを含む。
【００６７】
特に、この実装態様では、ＵＥは、予め送信されたサービスのタイプに従ってランダムアクセスリソースを選択する。たとえば、緊急サービスは通常、ランダムアクセスリソースの構成の迅速な変更を必要とし、より多くのアップリンクデータリソースを必要とし得る。基地局は、基地局がシステムブロードキャストを送信するよりも頻繁にＤＣＩを送信し、より多くのアイドルアップリンクリソースがランダムアクセスのために割り当てられることが可能であると考えられる。したがって、ＵＥは、ＤＣＩを使用することによって基地局により通知される第２のランダムアクセスリソースの構成情報に対応する第２のランダムアクセスリソースに従って、ランダムアクセスを開始し得る。周期的サービスは比較的固定される。したがって、ＵＥの待ち時間を減少するために、ＵＥは、ＤＣＩを監視することなく、システムブロードキャストを使用することによって基地局により通知される第１のランダムアクセスリソースの構成情報に対応する第１のランダムアクセスリソースを直接選択して、ランダムアクセスを開始し得る。
【００６８】
あるいは、通常、遅延に対する要件を有するサービスについては、遅延が比較的小さいときにネットワークへの迅速なアクセスが必要とされる。システムブロードキャストを使用することによって基地局により通知される第１のランダムアクセスリソースの構成情報が比較的固定されることを考慮すると、ＵＥは、待つ必要がなくてよく、構成情報に対応する第１のランダムアクセスリソースに従ってランダムアクセスを直接開始し得る。したがって、ＵＥは、システムブロードキャストを使用することによって基地局により通知される第１のランダムアクセスリソースの構成情報に対応する第１のランダムアクセスリソースを選択して、ランダムアクセスを開始し得る。そうではなく、遅延に対する要件を有しないサービスについては、ＵＥは、ＤＣＩを使用することによって基地局により通知される第２のランダムアクセスリソースの構成情報に対応する第２のランダムアクセスリソースを選択して、ランダムアクセスを開始し得る。上記の例に従って認識できるように、ＵＥは、ランダムアクセス規則に従ってランダムアクセスリソースを選択して、ランダムアクセスを開始し得る。したがって、ランダムアクセスリソースが柔軟に構成されることができないという従来技術の問題が回避され、したがってアクセスリソースが柔軟に構成されることが可能であり、それにより最適な構成を実現する。
【００６９】
当然ながら、予め送信されたサービスのタイプは、別のタイプ、たとえば、高優先度サービスまたは低優先度サービスであってよい。異なるサービスタイプに対して、ＵＥによって選択されるランダムアクセスリソースも異なってよい。これは、本発明のこの実施形態において特に限定されない。
【００７０】
態様３
【００７１】
可能な実装態様において、ランダムアクセス規則が、ＵＥの時間周波数リソースに最も近いランダムアクセスリソースを選択することを含む場合、ＵＥによって、ランダムアクセス規則と、基地局により通知されるランダムアクセスリソースの構成情報とに従って、第１のランダムアクセスリソースおよび第２のランダムアクセスリソースから、ランダムアクセスリソースを選択することは、
ＵＥによって、基地局により通知されるランダムアクセスリソースの構成情報に従って、第１のランダムアクセスリソースおよび第２のランダムアクセスリソースから、ＵＥの時間周波数リソースに最も近いランダムアクセスリソースを選択することを含む。
【００７２】
特に、この実装態様では、ＵＥは、ＵＥの時間周波数リソースに最も近いランダムアクセスリソースを選択する。たとえば、システムブロードキャストを使用することによって基地局により通知される第１のランダムアクセスリソースの構成情報と、ＤＣＩを使用することによって基地局により通知される第２のランダムアクセスリソースの構成情報とを受信した後に、ＵＥは、第１のランダムアクセスリソースにおけるＵＥの時間周波数リソースに最も近いランダムアクセスリソースが、第２のランダムアクセスリソースにおけるＵＥの時間周波数リソースに最も近いランダムアクセスリソースの前であると決定すると想定すると、ＵＥは、第１のランダムアクセスリソースを選択してランダムアクセスを開始する。そうではなく、第１のランダムアクセスリソースにおけるＵＥの時間周波数リソースに最も近いランダムアクセスリソースが、第２のランダムアクセスリソースにおけるＵＥの時間周波数リソースに最も近いランダムアクセスリソースの後であると決定した場合、ＵＥは、第２のランダムアクセスリソースを選択してランダムアクセスを開始する。
【００７３】
態様４
【００７４】
可能な実装態様において、ランダムアクセス規則が、ＵＥのタイプに従ってランダムアクセスリソースを選択することを含む場合、ＵＥによって、ランダムアクセス規則と、基地局により通知されるランダムアクセスリソースの構成情報とに従って、第１のランダムアクセスリソースおよび第２のランダムアクセスリソースから、ランダムアクセスリソースを選択することは、
ＵＥの優先度が第１の優先度である場合、ＵＥによって、基地局により通知されるランダムアクセスリソースの構成情報に従って、第１のランダムアクセスリソースを選択すること、または
ＵＥの優先度が第２の優先度である場合、ＵＥによって、基地局により通知されるランダムアクセスリソースの構成情報に従って、第２のランダムアクセスリソースを選択することを含む。
【００７５】
特に、この実装態様では、ＵＥは、ＵＥのタイプに従ってランダムアクセスを選択する。たとえば、第１の優先度は具体的には、低優先度であり、第２の優先度は具体的には、高優先度である。ランダムアクセス規則は具体的には、低優先度を有するＵＥが、システムブロードキャストを使用することによって基地局により通知される第１のランダムアクセスリソースの構成情報に対応する第１のランダムアクセスリソースを選択し、および、高優先度を有するＵＥが、ＤＣＩを使用することによって基地局により通知される第２のランダムアクセスリソースの構成情報に対応する第２のランダムアクセスリソースを選択することである。ＵＥが高優先度を有するＵＥである場合、ＵＥは、ランダムアクセス規則に従って、ＤＣＩを使用することによって基地局により通知される第２のランダムアクセスリソースの構成情報に対応する第２のランダムアクセスリソースを選択して、ランダムアクセスを開始し得る。
【００７６】
当然ながら、ＵＥのタイプは、別のタイプ、たとえば、低い移動性または高い移動性であってよい。異なるタイプのＵＥに対して、ＵＥによって選択されるランダムアクセスリソースも異なってよい。これは、本発明のこの実施形態において特に限定されない。
【００７７】
態様５
【００７８】
可能な実装態様において、ランダムアクセス規則が、ＵＥのアクセス理由に従ってランダムアクセスリソースを選択することを含む場合、ＵＥによって、ランダムアクセス規則と、基地局により通知されるランダムアクセスリソースの構成情報とに従って、第１のランダムアクセスリソースおよび第２のランダムアクセスリソースから、ランダムアクセスリソースを選択することは、
ＵＥのアクセス理由が緊急呼出しである場合、ＵＥによって、基地局により通知されるランダムアクセスリソースの構成情報に従って、第１のランダムアクセスリソースを選択すること、または
ＵＥのアクセス理由が通常の呼出しである場合、ＵＥによって、基地局により通知されるランダムアクセスリソースの構成情報に従って、第２のランダムアクセスリソースを選択することを含む。
【００７９】
特に、この実装態様では、ＵＥは、ＵＥのアクセス理由に従ってランダムアクセスリソースを選択する。たとえば、ＵＥのアクセス理由が緊急呼出しである場合、すなわち、遅延が比較的小さいときにネットワークへの迅速なアクセスが必要される場合。システムブロードキャストを使用することによって基地局により通知される第１のランダムアクセスリソースの構成情報が比較的固定されることを考慮すると、ＵＥは、待つ必要なしに、構成情報に対応する第１のランダムアクセスリソースに従ってランダムアクセスを直接開始し得る。したがって、ＵＥは、システムブロードキャストを使用することによって基地局により通知される第１のランダムアクセスリソースの構成情報に対応する第１のランダムアクセスリソースを選択して、ランダムアクセスを開始し得る。そうではなく、ＵＥのアクセス理由が通常の呼出しであるとき、ＵＥは、ＤＣＩを使用することによって基地局により通知される第２のランダムアクセスリソースの構成情報に対応する第２のランダムアクセスリソースを選択して、ランダムアクセスを開始し得る。
【００８０】
当然ながら、ＵＥのアクセス理由は、別の理由、たとえば、トラッキングエリア更新（Tracking Area Update、略してＴＡＵ）、信号アクセス、データアクセス、カバレッジレベル変更アクセス、接続されたモード（以下、接続モード）アクセス、またはアイドルモードアクセスであってよい。これは、本発明のこの実施形態において特に限定されない。
【００８１】
（ロングタームエボリューション（Long Term Evolution、たとえばＬＴＥ）を例として使用すると、ＵＥのアクセス理由は、緊急（emergency）アクセス、高優先度アクセス（high Priority Access）、モバイル着信（Mobile Terminating、略してＭＴ）アクセス、モバイル発信（Mobile Originating、略してＭＯ）信号アクセス、ＭＯデータアクセス、および遅延許容アクセス（delay Tolerant Access）を含み得る。ＭＴアクセスは実際には、たとえばページングメッセージの応答であり、ＭＯアクセスは、端末によってトリガーされたアクセスを指す。
【００８２】
異なるアクセス理由に対して、ＵＥによって選択されたランダムアクセスリソースも異なってよい。たとえば、接続モードのＵＥは、ＤＣＩを使用することによって通知される第２のランダムアクセスリソースの構成情報に対応する第２のランダムアクセスリソースを優先的に使用する。アイドルモードのＵＥは、システムブロードキャストを使用することによって通知される第１のランダムアクセスリソースの構成情報に対応する第１のランダムアクセスリソースを優先的に使用し得る。これは、本発明のこの実施形態において特に限定されない。
【００８３】
上述されたように、本発明のこの実施形態におけるランダムアクセス規則は、固定された規則であってよく、または複数の規則の組み合わせであってよい。したがって、本発明のこの実施形態では、態様１から態様５において提供されたランダムアクセス規則、および基地局によってランダムアクセスリソースの構成情報を通知するための方法が組み合わされてよいことが理解され得る。
【００８４】
たとえば、ランダムアクセス規則が、予め送信されたサービスのタイプとＵＥのタイプとに従ってランダムアクセスリソースを選択することを含み得ると想定すると、ＵＥによって、ランダムアクセス規則と、基地局により通知されるランダムアクセスリソースの構成情報とに従って、第１のランダムアクセスリソースおよび第２のランダムアクセスリソースから、ランダムアクセスリソースを選択することは、
予め送信されたサービスが緊急サービスであり、かつＵＥの優先度が高優先度であるとき、ＵＥによって、基地局により通知されるランダムアクセスリソースの構成情報に従って、第１のランダムアクセスリソースを選択すること、
予め送信されたサービスが緊急サービスであり、かつＵＥの優先度が低優先度であるとき、ＵＥによって、基地局により通知されるランダムアクセスリソースの構成情報に従って、第２のランダムアクセスリソースを選択すること、
予め送信されたサービスが周期的サービスであり、かつＵＥの優先度が高優先度であるとき、ＵＥによって、基地局により通知されるランダムアクセスリソースの構成情報に従って、第１のランダムアクセスリソースを選択すること、または
予め送信されたサービスが周期的サービスであり、かつＵＥの優先度が低優先度であるとき、ＵＥによって、基地局により通知されるランダムアクセスリソースの構成情報に従って、第２のランダムアクセスリソースを選択することを特に含む。
【００８５】
火災などの緊急事態が発生したとき、緊急サービスは、ランダムアクセスリソースの構成の迅速な変更を必要とすることがあり、より多くのアップリンクデータリソースが必要とされ得る。さらに、高優先度を有するＵＥが迅速なアクセスを行うことがある。したがって、高優先度を有するＵＥは、システムブロードキャストを使用することによって基地局により通知される第１のランダムアクセスリソースの構成情報に対応する第１のランダムアクセスリソースを選択し、低優先度を有するＵＥは、ＤＣＩを使用することによって基地局により通知される第２のランダムアクセスリソースの構成情報に対応する第２のランダムアクセスリソースを選択するように構成され得る。このように、一態様によれば、基地局は、基地局がシステムブロードキャストを送信するよりも頻繁にＤＣＩを送信し、より多くのアイドルアップリンクリソースがランダムアクセスのために割り当てられることが可能であると考えられる。したがって、ランダムアクセスリソースの構成情報の迅速な変更が実装され得る。さらに、より多くのアクセスリソースが割り当てられることが可能である。たとえば、使用されていない全てのアップリンクリソースがランダムアクセスリソースであるように構成され得る。他の態様によれば、システムブロードキャストを使用することによって基地局により通知される第１のランダムアクセスリソースの構成情報は、比較的固定され、ＵＥは、構成情報に対応する第１のランダムアクセスリソースに従って、ランダムアクセスを直接開始し得るので、それにより、ＵＥの待ち時間を減少させ、迅速なアクセスを実装する。ＵＥは、ランダムアクセス規則と、基地局により通知されるランダムアクセスリソースの構成情報とに従って、ランダムアクセスリソースを選択して、ランダムアクセスを開始し得る。したがって、ランダムアクセスリソースが柔軟に構成されることができないという従来技術における問題が解決され、したがって、ランダムアクセスリソースを構成する柔軟性が改善されることが可能であり、それにより最適な構成を実現する。
【００８６】
本発明のこの実施形態において、ＵＥが、別の態様で、ランダムアクセス規則に従ってランダムアクセスリソースを選択してよいことが理解され得る。態様は、上記の提供された実装態様に限定されない。
【００８７】
本発明のこの実施形態は、ランダムアクセス方法であって、ＵＥによって、基地局により通知されたランダムアクセスリソースの構成情報を受信することであって、ランダムアクセスリソースの構成情報は、システムブロードキャストを使用することによって基地局により通知される第１のランダムアクセスリソースの構成情報と、ダウンリンク制御情報（ＤＣＩ）を使用することによって基地局により通知される第２のランダムアクセスリソースの構成情報とを含む、ことと、ＵＥによって、ランダムアクセス規則と、基地局により通知されるランダムアクセスリソースの構成情報とに従って、第１のランダムアクセスリソースおよび第２のランダムアクセスリソースから、ランダムアクセスリソースを選択することと、ＵＥによって、ランダムアクセスリソースに従ってランダムアクセスを開始することとを含むランダムアクセス方法を提供する。本発明のこの実施形態において提供されるランダムアクセス方法に基づき、本発明のこの実施形態におけるＵＥは、ランダムアクセス規則と、システムブロードキャストを使用することによって基地局により通知される第１のランダムアクセスリソースの構成情報と、ＤＣＩを使用することによって基地局により通知される第２のランダムアクセスリソースの構成情報とに従って、第１のランダムアクセスリソースおよび第２のランダムアクセスリソースから、ランダムアクセスリソースを選択し得る。基地局は、基地局がシステムブロードキャストを送信するよりも頻繁にＤＣＩを送信し、より多くのアイドルアップリンクリソースがランダムアクセスのために割り当てられることが可能であると考えられる。したがって、火災や地震などの緊急事態が発生し、ネットワークが、ランダムアクセスリソースの構成を迅速に変更する必要があり、より多くのアップリンクデータリソースが必要とされるとき、ＵＥは、ＤＣＩを使用することによって基地局により通知される第２のランダムアクセスリソースの構成情報に対応する第２のランダムアクセスリソースに従って、ランダムアクセスを開始し得る。システムブロードキャストを使用することによって基地局により通知される第１のランダムアクセスリソースの構成情報は、比較的固定される。したがって、ＵＥは、構成情報に対応する第１のランダムアクセスリソースに従って、ランダムアクセスを直接開始し得るので、それによりＵＥの待ち時間が減少する。すなわち、ＵＥは、ランダムアクセス規則に従って、ランダムアクセスリソースを柔軟に選択してランダムアクセスを開始し得るので、それにより、ランダムアクセスリソースが柔軟に構成されることができないという従来技術における問題を回避し、したがって、ランダムアクセスリソースを構成する柔軟性が改善されることが可能であり、それにより最適な構成を実現する。
【００８８】
実施形態２
本発明のこの実施形態は、図２に示されるように、以下のステップを特に含むランダムアクセス方法を提供する。
【００８９】
Ｓ２０１：基地局は、システムブロードキャストを使用することによって通知される第１のランダムアクセスリソースの構成情報と、ＤＣＩを使用することによって通知される第２のランダムアクセスリソースの構成情報とを決定する。
【００９０】
Ｓ２０２：基地局は、システムブロードキャストを使用することによって第１のランダムアクセスリソースの構成情報をＵＥに通知し、また、基地局は、ＤＣＩを使用することによって第２のランダムアクセスリソースの構成情報をＵＥに通知する。
【００９１】
特に、本発明のこの実施形態では、基地局がランダムアクセスリソースを構成すると、ランダムアクセスリソースの一部（第１のランダムアクセスリソース）の構成情報が、システムブロードキャストを使用することによってＵＥに通知され、ランダムアクセスリソースの一部（第２のランダムアクセスリソース）の構成情報が、ＤＣＩを使用することによってＵＥに通知される。
【００９２】
システムブロードキャストを使用することによって通知される第１のランダムアクセスリソースの構成情報は、比較的固定される。ＵＥは、ＤＣＩを監視することなくランダムアクセスを直接開始し得るので、それによりＵＥの待ち時間が減少する。
【００９３】
基地局は、基地局がシステムブロードキャストを送信するよりも頻繁にＤＣＩを送信し、より多くのアイドルアップリンクリソースがランダムアクセスのために割り当てられることが可能である。したがって、ＤＣＩを使用することによって通知される第２のランダムアクセスリソースの構成情報は、ランダムアクセスリソースの構成を迅速に変更することができ、より多くのアイドルアップリンクリソースがランダムアクセスのために割り当てられることが可能であり、符号化および変調方式が柔軟に調整され得る。
【００９４】
システムブロードキャストを使用することによって第１のランダムアクセスリソースの構成情報をＵＥに通知し、ＤＣＩを使用することによって第２のランダムアクセスリソースの構成情報をＵＥに通知した後、基地局は、ＵＥがランダムアクセスを開始するときにＵＥによって占有されるランダムアクセスリソースに従って、ＵＥに関する関連つけられた情報をさらに取得してよく、情報は、アクセス理由、およびＵＥのタイプなどを含むことに留意されたい。このように、情報に関する後続のスケジューリングに対して異なるメカニズムが使用されてよい。たとえば、短い遅延の要件を有するＵＥが、優先的にスケジューリングされる。これは、本発明のこの実施形態において特に限定されない。
【００９５】
本発明のこの実施形態では、基地局が全てのアイドルリソースをランダムアクセスリソースとして構成し得ることに留意されたい。この場合、基地局は、まず、、ＵＥが、スケジューリングされていないアップリンクリソースを選択し選択されたアップリンクリソースを使用するという合意をＵＥと有する必要がある。この場合、ＵＥは、ＤＣＩを監視することによって、使用されたアップリンクリソースを見つける必要があり、さらに、占有されていないアップリンクリソースを使用することによってランダムアクセスを行う。このケースは、本発明の実施形態において特に限定されない。
【００９６】
さらに、第１のランダムアクセスリソースの構成情報は、ランダムアクセス規則をさらに含み得る。
【００９７】
すなわち、ランダムアクセス規則を追加するために、対応する量のビットが第１のランダムアクセスリソースの構成情報に追加され得る。
【００９８】
任意選択で、基地局は、システムブロードキャストを使用することによってランダムアクセス規則をＵＥに通知し得る。
【００９９】
すなわち、基地局は、ランダムアクセス規則を追加するために、対応する量のビットをシステムブロードキャストに追加し得る。
【０１００】
当然ながら、基地局は、別のメッセージまたはシグナリングを使用することによってランダムアクセス規則をＵＥに通知してよい。これは、本発明のこの実施形態において特に限定されない。
【０１０１】
ランダムアクセス規則は、以下の規則、すなわち、
ランダムアクセスリソースをランダムに選択すること、
予め送信されたサービスのタイプに従ってランダムアクセスリソースを選択すること、
ＵＥの時間周波数リソースに最も近いランダムアクセスリソースを選択すること、
ＵＥのタイプに従ってランダムアクセスリソースを選択すること、または
ＵＥのアクセス理由に従ってランダムアクセスリソースを選択すること
のうちの少なくとも１つを含み得る。
【０１０２】
本発明のこの実施形態におけるランダムアクセス規則は、１つのタイプの規則であってよく、または複数のタイプの規則の組み合わせであってよいことに留意されたい。たとえば、ランダムアクセス規則は、予め送信されたサービスのタイプとＵＥのタイプとに従って、ランダムアクセスリソースを選択すること、または予め送信されたサービスのタイプとＵＥのアクセス理由とに従って、ランダムアクセスリソースを選択することを含み得る。これは、本発明のこの実施形態において特に限定されない。
【０１０３】
本発明のこの実施形態におけるランダムアクセス規則は別の規則であってよく、上記で挙げられた特定のランダムアクセス規則に限定されないことが理解され得る。これは、本発明のこの実施形態において特に限定されない。
【０１０４】
本発明のこの実施形態に基づき提供されるランダムアクセス方法は、基地局によって、システムブロードキャストを使用することによって通知される第１のランダムアクセスリソースの構成情報と、ＤＣＩを使用することによって通知される第２のランダムアクセスリソースの構成情報とを決定することと、基地局によって、システムブロードキャストを使用することによって第１のランダムアクセスリソースの構成情報をＵＥに通知することと、基地局によって、第２のランダムアクセスリソースの構成情報をＵＥに通知することとを含み、したがって、ＵＥは、システムブロードキャストを使用することによって基地局により通知される第１のランダムアクセスリソースの構成情報と、ＤＣＩを使用することによって基地局により通知される第２のランダムアクセスリソースの構成情報とに従って、ランダムアクセスリソースを選択し得る。基地局は、基地局がシステムブロードキャストを送信するよりも頻繁にＤＣＩを送信し、より多くのアイドルアップリンクリソースがランダムアクセスのために割り当てられることが可能であると考えられる。したがって、火災や地震などの緊急事態が発生し、ネットワークが、ランダムアクセスリソースの構成を迅速に変更する必要があり、より多くのアップリンクデータリソースが必要とされるとき、ＵＥは、ＤＣＩを使用することによって基地局により通知される第２のランダムアクセスリソースの構成情報に対応する第２のランダムアクセスリソースに従って、ランダムアクセスを開始し得る。システムブロードキャストを使用することによって基地局により通知される第１のランダムアクセスリソースの構成情報は、比較的固定される。したがって、ＵＥは、構成情報に対応する第１のランダムアクセスリソースに従って、ランダムアクセスを直接開始することがあり、それによりＵＥの待ち時間が減少する。すなわち、ＵＥは、ランダムアクセス規則に従って、ランダムアクセスリソースを柔軟に選択してランダムアクセスを開始することがあり、それにより、ランダムアクセスリソースが柔軟に構成されることができないという従来技術における問題を回避し、したがって、ランダムアクセスリソースを構成する柔軟性が改善されることが可能であり、それにより最適な構成を実現する。
【０１０５】
実施形態３
本発明のこの実施形態は、ランダムアクセス方法を提供する。ＵＥと基地局との間の相互作用が説明のために例として使用される。図３に示されるように、方法は以下のステップを含む。
【０１０６】
Ｓ３０１：基地局は、システムブロードキャストを使用することによって通知される第１のランダムアクセスリソースの構成情報と、ＤＣＩを使用することによって通知される第２のランダムアクセスリソースの構成情報とを決定する。
【０１０７】
Ｓ３０２：基地局は、システムブロードキャストを使用することによって第１のランダムアクセスリソースの構成情報をＵＥに通知し、また、基地局は、ＤＣＩを使用することによって第２のランダムアクセスリソースの構成情報をＵＥに通知する。
【０１０８】
Ｓ３０３：ＵＥは、基地局により通知されたランダムアクセスリソースの構成情報を受信し、ランダムアクセスリソースの構成情報は、システムブロードキャストを使用することによって基地局により通知される第１のランダムアクセスリソースの構成情報と、ダウンリンク制御情報（ＤＣＩ）を使用することによって基地局により通知される第２のランダムアクセスリソースの構成情報とを含む。
【０１０９】
Ｓ３０４：ＵＥは、ランダムアクセス規則と、基地局により通知されるランダムアクセスリソースの構成情報とに従って、第１のランダムアクセスリソースおよび第２のランダムアクセスリソースから、ランダムアクセスリソースを選択する。
【０１１０】
Ｓ３０５：ＵＥは、ランダムアクセスリソースに従ってランダムアクセスを開始する。
【０１１１】
特に、ステップＳ３０１およびＳ３０２の特定の実装については、実施形態２の関連する説明を参照されたい。ステップＳ３０３およびＳ３０５の特定の実装については、実施形態１の関連する説明を参照されたい。詳細は、本発明のこの実施形態では再び説明されない。
【０１１２】
この実施形態は前述の実施形態に関する特定の説明であるので、この実施形態で実装されることが可能な技術的効果については前述の説明が参照されることがある。詳細は、本明細書では再び説明されない。
【０１１３】
実施形態４
本発明のこの実施形態は、端末（ＵＥ）４００を提供する。特に、図４に示されるように、ＵＥ４００は、受信ユニット４０１、選択ユニット４０２、およびアクセスユニット４０３を備える。
【０１１４】
受信ユニット４０１は、基地局により通知されたランダムアクセスリソースの構成情報を受信するように構成され、ランダムアクセスリソースの構成情報は、システムブロードキャストを使用することによって基地局により通知される第１のランダムアクセスリソースの構成情報と、ダウンリンク制御情報（ＤＣＩ）を使用することによって基地局により通知される第２のランダムアクセスリソースの構成情報とを含む。
【０１１５】
選択ユニット４０２は、ランダムアクセス規則と、基地局により通知されるランダムアクセスリソースの構成情報とに従って、第１のランダムアクセスリソースおよび第２のランダムアクセスリソースから、ランダムアクセスリソースを選択するように構成される。
【０１１６】
アクセスユニット４０３は、ランダムアクセスリソースに従ってランダムアクセスを開始するように構成される。
【０１１７】
特に、ランダムアクセス規則は、以下の規則、すなわち、
ランダムアクセスリソースをランダムに選択すること、
予め送信されたサービスのタイプに従ってランダムアクセスリソースを選択すること、
ＵＥの時間周波数リソースに最も近いランダムアクセスリソースを選択すること、
ＵＥのタイプに従ってランダムアクセスリソースを選択すること、または
ＵＥのアクセス理由に従ってランダムアクセスリソースを選択すること
のうちの少なくとも１つを含み得る。
【０１１８】
可能な実装態様において、ランダムアクセス規則が、ランダムアクセスリソースをランダムに選択することを含む場合、選択ユニット４０２は、
乱数を生成し、乱数と、確率因子と、基地局により通知されるランダムアクセスリソースの構成情報とに従って、第１のランダムアクセスリソースおよび第２のランダムアクセスリソースから、ランダムアクセスリソースを選択するように特に構成される。
【０１１９】
さらに、選択ユニット４０２は、
乱数が確率因子よりも大きい場合、基地局により通知されるランダムアクセスリソースの構成情報に従って、第１のランダムアクセスリソースを選択する、もしくは
乱数が確率因子よりも大きくない場合、基地局により通知されるランダムアクセスリソースの構成情報に従って、第２のランダムアクセスリソースを選択するように特に構成される、または
選択ユニット４０２は、
乱数が確率因子よりも大きい場合、基地局により通知されるランダムアクセスリソースの構成情報に従って、第２のランダムアクセスリソースを選択する、もしくは
乱数が確率因子よりも大きくない場合、基地局により通知されるランダムアクセスリソースの構成情報に従って、第１のランダムアクセスリソースを選択するように特に構成される。
【０１２０】
好ましくは、確率因子は、システムブロードキャストの通知に従って取得される。
【０１２１】
可能な実装態様において、ランダムアクセス規則が、予め送信されたサービスのタイプに従ってランダムアクセスリソースを選択することを含む場合、選択ユニット４０２は、
予め送信されたサービスが周期的サービスである場合、基地局により通知されるランダムアクセスリソースの構成情報に従って、第１のランダムアクセスリソースを選択する、もしくは
予め送信されたサービスが緊急サービスである場合、基地局により通知されるランダムアクセスリソースの構成情報に従って、第２のランダムアクセスリソースを選択するように特に構成される、または
選択ユニット４０２は、
予め送信されたサービスが遅延に対する要件を有する場合、基地局により通知されるランダムアクセスリソースの構成情報に従って、第１のランダムアクセスリソースを選択する、もしくは
予め送信されたサービスが遅延に対する要件を有しない場合、基地局により通知されるランダムアクセスリソースの構成情報に従って、第２のランダムアクセスリソースを選択するように特に構成される。
【０１２２】
可能な実装態様において、ランダムアクセス規則が、ＵＥの時間周波数リソースに最も近いランダムアクセスリソースを選択することを含む場合、選択ユニット４０２は、
基地局により通知されるランダムアクセスリソースの構成情報に従って、第１のランダムアクセスリソースおよび第２のランダムアクセスリソースから、ＵＥ４００の時間周波数リソースに最も近いランダムアクセスリソースを選択するように特に構成される。
【０１２３】
可能な実装態様において、ランダムアクセス規則が、ＵＥのタイプに従ってランダムアクセスリソースを選択することを含む場合、選択ユニット４０２は、
ＵＥ４００の優先度が第１の優先度である場合、基地局により通知されるランダムアクセスリソースの構成情報に従って、第１のランダムアクセスリソースを選択する、または
ＵＥ４００の優先度が第２の優先度である場合、基地局により通知されるランダムアクセスリソースの構成情報に従って、第２のランダムアクセスリソースを選択するように特に構成される。
【０１２４】
可能な実装態様において、ランダムアクセス規則が、ＵＥのアクセス理由に従ってランダムアクセスリソースを選択することを含む場合、選択ユニット４０２は、
ＵＥ４００のアクセス理由が緊急呼出しである場合、基地局により通知されるランダムアクセスリソースの構成情報に従って、第１のランダムアクセスリソースを選択する、または
ＵＥ４００のアクセス理由が通常の呼出しである場合、基地局により通知されるランダムアクセスリソースの構成情報に従って、第２のランダムアクセスリソースを選択するように特に構成される。
【０１２５】
特に、本発明のこの実施形態において提供されるＵＥ４００によってランダムアクセスを行うための方法については、実施形態１または実施形態３に関する説明を参照されたい。詳細は、本発明のこの実施形態では再び説明されない。
【０１２６】
本発明のこの実施形態は、ＵＥを提供し、ＵＥは、基地局により通知されたランダムアクセスリソースの構成情報を受信する受信ユニットであって、ランダムアクセスリソースの構成情報は、システムブロードキャストを使用することによって基地局により通知される第１のランダムアクセスリソースの構成情報と、ダウンリンク制御情報（ＤＣＩ）を使用することによって基地局により通知される第２のランダムアクセスリソースの構成情報とを含む、受信ユニット、ランダムアクセス規則と、基地局により通知されるランダムアクセスリソースの構成情報とに従って、第１のランダムアクセスリソースおよび第２のランダムアクセスリソースから、ランダムアクセスリソースを選択する選択ユニット、ならびに、ランダムアクセスリソースに従ってランダムアクセスを開始するアクセスユニットを備える。本発明のこの実施形態において提供されるＵＥに基づき、本発明のこの実施形態におけるＵＥは、ランダムアクセス規則と、システムブロードキャストを使用することによって基地局により通知される第１のランダムアクセスリソースの構成情報と、ＤＣＩを使用することによって基地局により通知される第２のランダムアクセスリソースの構成情報とに従って、第１のランダムアクセスリソースおよび第２のランダムアクセスリソースから、ランダムアクセスリソースを選択し得る。基地局は、基地局がシステムブロードキャストを送信するよりも頻繁にＤＣＩを送信し、より多くのアイドルアップリンクリソースがランダムアクセスのために割り当てられることが可能であると考えられる。したがって、火災や地震などの緊急事態が発生し、ネットワークが、ランダムアクセスリソースの構成を迅速に変更する必要があり、より多くのアップリンクデータリソースが必要とされるとき、ＵＥは、ＤＣＩを使用することによって基地局により通知される第２のランダムアクセスリソースの構成情報に対応する第２のランダムアクセスリソースに従って、ランダムアクセスを開始し得る。システムブロードキャストを使用することによって基地局により通知される第１のランダムアクセスリソースの構成情報は、比較的固定される。したがって、ＵＥは、構成情報に対応する第１のランダムアクセスリソースに従って、ランダムアクセスを直接開始することがあり、それによりＵＥの待ち時間が減少する。すなわち、ＵＥは、ランダムアクセス規則に従って、ランダムアクセスリソースを柔軟に選択してランダムアクセスを開始することがあり、それにより、ランダムアクセスリソースが柔軟に構成されることができないという従来技術における問題を回避し、したがって、ランダムアクセスリソースを構成する柔軟性が改善されることが可能であり、それにより最適な構成を実現する。
【０１２７】
実施形態５
本発明のこの実施形態は、基地局５００を提供する。特に、図５に示されるように、基地局５００は、決定ユニット５０１および通知ユニット５０２を備える。
【０１２８】
決定ユニット５０１は、システムブロードキャストを使用することによって通知される第１のランダムアクセスリソースの構成情報と、ダウンリンク制御情報（ＤＣＩ）を使用することによって通知される第２のランダムアクセスリソースの構成情報とを決定するように構成される。
【０１２９】
通知ユニット５０２は、システムブロードキャストを使用することによって第１のランダムアクセスリソースの構成情報を端末（ＵＥ）に通知し、
ＤＣＩを使用することによって第２のランダムアクセスリソースの構成情報をＵＥに通知するように構成される。
【０１３０】
さらに、第１のランダムアクセスリソースの構成情報は、ランダムアクセス規則を含む。
【０１３１】
任意選択で、通知ユニット５０２は、システムブロードキャストを使用することによってランダムアクセス規則をＵＥに通知するようにさらに構成される。
【０１３２】
特に、ランダムアクセス規則は、以下の規則、すなわち、
ランダムアクセスリソースをランダムに選択すること、
予め送信されたサービスのタイプに従ってランダムアクセスリソースを選択すること、
ＵＥの時間周波数リソースに最も近いランダムアクセスリソースを選択すること、
ＵＥのタイプに従ってランダムアクセスリソースを選択すること、または
ＵＥのアクセス理由に従ってランダムアクセスリソースを選択すること
のうちの少なくとも１つを含み得る。
【０１３３】
特に、本発明のこの実施形態において提供される基地局５００によってランダムアクセスを行うための方法については、実施形態２または実施形態３に関する説明を参照されたい。詳細は、本発明のこの実施形態では再び説明されない。
【０１３４】
本発明のこの実施形態に基づき提供される基地局は、システムブロードキャストを使用することによって通知される第１のランダムアクセスリソースの構成情報と、ＤＣＩを使用することによって通知される第２のランダムアクセスリソースの構成情報とを決定する決定ユニットと、システムブロードキャストを使用することによって第１のランダムアクセスリソースの構成情報をＵＥに通知し、ＤＣＩを使用することによって第２のランダムアクセスリソースの構成情報をＵＥに通知する通知ユニットとを備え、したがって、ＵＥは、システムブロードキャストを使用することによって基地局により通知される第１のランダムアクセスリソースの構成情報と、ＤＣＩを使用することによって基地局により通知される第２のランダムアクセスリソースの構成情報とに従って、ランダムアクセスリソースを選択し得る。基地局は、基地局がシステムブロードキャストを送信するよりも頻繁にＤＣＩを送信し、より多くのアイドルアップリンクリソースがランダムアクセスのために割り当てられることが可能であると考えられる。したがって、火災や地震などの緊急事態が発生し、ネットワークが、ランダムアクセスリソースの構成を迅速に変更する必要があり、より多くのアップリンクデータリソースが必要とされるとき、ＵＥは、ＤＣＩを使用することによって基地局により通知される第２のランダムアクセスリソースの構成情報に対応する第２のランダムアクセスリソースに従って、ランダムアクセスを開始し得る。システムブロードキャストを使用することによって基地局により通知される第１のランダムアクセスリソースの構成情報は、比較的固定される。したがって、ＵＥは、構成情報に対応する第１のランダムアクセスリソースに従って、ランダムアクセスを直接開始することがあり、それによりＵＥの待ち時間が減少する。すなわち、ＵＥは、ランダムアクセス規則に従って、ランダムアクセスリソースを柔軟に選択してランダムアクセスを開始することがあり、それにより、ランダムアクセスリソースが柔軟に構成されることができないという従来技術における問題を回避し、したがって、ランダムアクセスリソースを構成する柔軟性が改善されることが可能であり、それにより最適な構成を実現する。
【０１３５】
実施形態６
本発明のこの実施形態は、ＵＥ６００を提供する。特に、図６に示されるように、ＵＥ６００は、受信機６０１およびプロセッサ６０２を備える。
【０１３６】
受信機６０１は、基地局により通知されたランダムアクセスリソースの構成情報を受信するように構成され、ランダムアクセスリソースの構成情報は、システムブロードキャストを使用することによって基地局により通知される第１のランダムアクセスリソースの構成情報と、ダウンリンク制御情報（ＤＣＩ）を使用することによって基地局により通知される第２のランダムアクセスリソースの構成情報とを含む。
【０１３７】
プロセッサ６０２は、ランダムアクセス規則と、基地局により通知されるランダムアクセスリソースの構成情報とに従って、第１のランダムアクセスリソースおよび第２のランダムアクセスリソースから、ランダムアクセスリソースを選択するように構成される。
【０１３８】
プロセッサ６０２は、ランダムアクセスリソースに従ってランダムアクセスを開始するように構成される。
【０１３９】
特に、ランダムアクセス規則は、以下の規則、すなわち、
ランダムアクセスリソースをランダムに選択すること、
予め送信されたサービスのタイプに従ってランダムアクセスリソースを選択すること、
ＵＥの時間周波数リソースに最も近いランダムアクセスリソースを選択すること、
ＵＥのタイプに従ってランダムアクセスリソースを選択すること、または
ＵＥのアクセス理由に従ってランダムアクセスリソースを選択すること
のうちの少なくとも１つを含む。
【０１４０】
可能な実装態様において、ランダムアクセス規則が、ランダムアクセスリソースをランダムに選択することを含む場合、プロセッサ６０２は、
乱数を生成し、乱数と、確率因子と、基地局により通知されるランダムアクセスリソースの構成情報とに従って、第１のランダムアクセスリソースおよび第２のランダムアクセスリソースから、ランダムアクセスリソースを選択するように特に構成される。
【０１４１】
さらに、プロセッサ６０２は、
乱数が確率因子よりも大きい場合、基地局により通知されるランダムアクセスリソースの構成情報に従って、第１のランダムアクセスリソースを選択する、もしくは
乱数が確率因子よりも大きくない場合、基地局により通知されるランダムアクセスリソースの構成情報に従って、第２のランダムアクセスリソースを選択するように特に構成される、または
プロセッサ６０２は、
乱数が確率因子よりも大きい場合、基地局により通知されるランダムアクセスリソースの構成情報に従って、第２のランダムアクセスリソースを選択する、もしくは
乱数が確率因子よりも大きくない場合、基地局により通知されるランダムアクセスリソースの構成情報に従って、第１のランダムアクセスリソースを選択するように特に構成される。
【０１４２】
好ましくは、確率因子は、システムブロードキャストの通知に従って取得される。
【０１４３】
可能な実装態様において、ランダムアクセス規則が、予め送信されたサービスのタイプに従ってランダムアクセスリソースを選択することを含む場合、プロセッサ６０２は、
予め送信されたサービスが周期的サービスである場合、基地局により通知されるランダムアクセスリソースの構成情報に従って、第１のランダムアクセスリソースを選択する、もしくは
予め送信されたサービスが緊急サービスである場合、基地局により通知されるランダムアクセスリソースの構成情報に従って、第２のランダムアクセスリソースを選択するように特に構成される、または
プロセッサ６０２は、
予め送信されたサービスが遅延に対する要件を有する場合、基地局により通知されるランダムアクセスリソースの構成情報に従って、第１のランダムアクセスリソースを選択する、もしくは
予め送信されたサービスが遅延に対する要件を有しない場合、基地局により通知されるランダムアクセスリソースの構成情報に従って、第２のランダムアクセスリソースを選択するように特に構成される。
【０１４４】
可能な実装態様において、ランダムアクセス規則が、ＵＥ６００の時間周波数リソースに最も近いランダムアクセスリソースを選択することを含む場合、プロセッサ６０２は、
基地局により通知されるランダムアクセスリソースの構成情報に従って、第１のランダムアクセスリソースおよび第２のランダムアクセスリソースから、ＵＥ６００の時間周波数リソースに最も近いランダムアクセスリソースを選択するように特に構成される。
【０１４５】
可能な実装態様において、ランダムアクセス規則が、ＵＥのタイプに従ってランダムアクセスリソースを選択することを含む場合、プロセッサ６０２は、
ＵＥ６００の優先度が第１の優先度である場合、基地局により通知されるランダムアクセスリソースの構成情報に従って、第１のランダムアクセスリソースを選択する、または
ＵＥ６００の優先度が第２の優先度である場合、基地局により通知されるランダムアクセスリソースの構成情報に従って、第２のランダムアクセスリソースを選択するように特に構成される。
【０１４６】
可能な実装態様において、ランダムアクセス規則が、ＵＥのアクセス理由に従ってランダムアクセスリソースを選択することを含む場合、プロセッサ６０２は、
ＵＥ６００のアクセス理由が緊急呼出しである場合、基地局により通知されるランダムアクセスリソースの構成情報に従って、第１のランダムアクセスリソースを選択する、または
ＵＥ６００のアクセス理由が通常の呼出しである場合、基地局により通知されるランダムアクセスリソースの構成情報に従って、第２のランダムアクセスリソースを選択するように特に構成される。
【０１４７】
特に、本発明のこの実施形態において提供されるＵＥ６００によってランダムアクセスを行うための方法については、実施形態１または実施形態３に関する説明を参照されたい。詳細は、本発明のこの実施形態では再び説明されない。
【０１４８】
本発明のこの実施形態は、ＵＥを提供し、ＵＥは、基地局により通知されたランダムアクセスリソースの構成情報を受信する受信機であって、ランダムアクセスリソースの構成情報は、システムブロードキャストを使用することによって基地局により通知される第１のランダムアクセスリソースの構成情報と、ダウンリンク制御情報（ＤＣＩ）を使用することによって基地局により通知される第２のランダムアクセスリソースの構成情報とを含む、受信機、ならびに、ランダムアクセス規則と、基地局により通知されるランダムアクセスリソースの構成情報とに従って、第１のランダムアクセスリソースおよび第２のランダムアクセスリソースから、ランダムアクセスリソースを選択し、ランダムアクセスリソースに従ってランダムアクセスを開始するプロセッサを備える。本発明のこの実施形態において提供されるＵＥに基づき、本発明のこの実施形態におけるＵＥは、ランダムアクセス規則と、システムブロードキャストを使用することによって基地局により通知される第１のランダムアクセスリソースの構成情報と、ＤＣＩを使用することによって基地局により通知される第２のランダムアクセスリソースの構成情報とに従って、第１のランダムアクセスリソースおよび第２のランダムアクセスリソースから、ランダムアクセスリソースを選択し得る。基地局は、基地局がシステムブロードキャストを送信するよりも頻繁にＤＣＩを送信し、より多くのアイドルアップリンクリソースがランダムアクセスのために割り当てられることが可能であると考えられる。したがって、火災や地震などの緊急事態が発生し、ネットワークが、ランダムアクセスリソースの構成を迅速に変更する必要があり、より多くのアップリンクデータリソースが必要とされるとき、ＵＥは、ＤＣＩを使用することによって基地局により通知される第２のランダムアクセスリソースの構成情報に対応する第２のランダムアクセスリソースに従って、ランダムアクセスを開始し得る。システムブロードキャストを使用することによって基地局により通知される第１のランダムアクセスリソースの構成情報は、比較的固定される。したがって、ＵＥは、構成情報に対応する第１のランダムアクセスリソースに従って、ランダムアクセスを直接開始することがあり、それによりＵＥの待ち時間が減少する。すなわち、ＵＥは、ランダムアクセス規則に従って、ランダムアクセスリソースを柔軟に選択してランダムアクセスを開始することがあり、それにより、ランダムアクセスリソースが柔軟に構成されることができないという従来技術における問題を回避し、したがって、ランダムアクセスリソースを構成する柔軟性が改善されることが可能であり、それにより最適な構成を実現する。
【０１４９】
実施形態７
本発明のこの実施形態は、基地局７００を提供する。特に、図７に示されるように、基地局７００は、プロセッサ７０１および送信機７０２を備える。
【０１５０】
プロセッサ７０１は、システムブロードキャストを使用することによって通知される第１のランダムアクセスリソースの構成情報と、ダウンリンク制御情報（ＤＣＩ）を使用することによって通知される第２のランダムアクセスリソースの構成情報とを決定するように構成される。
【０１５１】
送信機７０２は、システムブロードキャストを使用することによって第１のランダムアクセスリソースの構成情報を端末（ＵＥ）に通知し、
ＤＣＩを使用することによって第２のランダムアクセスリソースの構成情報をＵＥに通知するように構成される。
【０１５２】
さらに、第１のランダムアクセスリソースの構成情報は、ランダムアクセス規則を含む。
【０１５３】
任意選択で、送信機７０２は、システムブロードキャストを使用することによってランダムアクセス規則をＵＥに通知するようにさらに構成される。
【０１５４】
特に、ランダムアクセス規則は、以下の規則、すなわち、
ランダムアクセスリソースをランダムに選択すること、
予め送信されたサービスのタイプに従ってランダムアクセスリソースを選択すること、
ＵＥの時間周波数リソースに最も近いランダムアクセスリソースを選択すること、
ＵＥのタイプに従ってランダムアクセスリソースを選択すること、または
ＵＥのアクセス理由に従ってランダムアクセスリソースを選択すること
のうちの少なくとも１つを含み得る。
【０１５５】
特に、本発明のこの実施形態において提供される基地局７００によってランダムアクセスを行うための方法については、実施形態２または実施形態３に関する説明を参照されたい。詳細は、本発明のこの実施形態では再び説明されない。
【０１５６】
本発明のこの実施形態に基づき提供される基地局は、システムブロードキャストを使用することによって通知される第１のランダムアクセスリソースの構成情報と、ＤＣＩを使用することによって通知される第２のランダムアクセスリソースの構成情報とを決定するプロセッサと、システムブロードキャストを使用することによって第１のランダムアクセスリソースの構成情報をＵＥに通知し、ＤＣＩを使用することによって第２のランダムアクセスリソースの構成情報をＵＥに通知する送信機とを備え、したがって、ＵＥは、システムブロードキャストを使用することによって基地局により通知される第１のランダムアクセスリソースの構成情報と、ＤＣＩを使用することによって基地局により通知される第２のランダムアクセスリソースの構成情報とに従って、ランダムアクセスリソースを選択し得る。基地局は、基地局がシステムブロードキャストを送信するよりも頻繁にＤＣＩを送信し、より多くのアイドルアップリンクリソースがランダムアクセスのために割り当てられることが可能であると考えられる。したがって、火災や地震などの緊急事態が発生し、ネットワークが、ランダムアクセスリソースの構成を迅速に変更する必要があり、より多くのアップリンクデータリソースが必要とされるとき、ＵＥは、ＤＣＩを使用することによって基地局により通知される第２のランダムアクセスリソースの構成情報に対応する第２のランダムアクセスリソースに従って、ランダムアクセスを開始し得る。システムブロードキャストを使用することによって基地局により通知される第１のランダムアクセスリソースの構成情報は、比較的固定される。したがって、ＵＥは、構成情報に対応する第１のランダムアクセスリソースに従って、ランダムアクセスを直接開始することがあり、それによりＵＥの待ち時間が減少する。すなわち、ＵＥは、ランダムアクセス規則に従って、ランダムアクセスリソースを柔軟に選択してランダムアクセスを開始することがあり、それにより、ランダムアクセスリソースが柔軟に構成されることができないという従来技術における問題を回避し、したがって、ランダムアクセスリソースを構成する柔軟性が改善されることが可能であり、それにより最適な構成を実現する。
【０１５７】
簡便で簡潔な説明のために、上記で説明された装置において上述の機能モジュールの分割が説明のための例として取り上げられていることは、当業者には明らかに理解され得る。実際の適用では、上述の機能は、要件に従って、異なるモジュールに割り当てられ実装されることが可能であり、すなわち、装置の内部構成は、上記で説明された機能の全部または一部を実装するために異なる機能モジュールに分割される。上述のシステム、装置、およびユニットの詳細な動作プロセスについては、上述の方法実施形態における対応するプロセスが参照されてよく、詳細は本明細書では再び説明されない。
【０１５８】
この適用において提供されるいくつかの実施形態では、開示されたシステム、装置、および方法が他の態様で実装されてよいことを理解されたい。たとえば、説明された装置の実施形態は例示に過ぎない。たとえば、モジュールまたはユニットの分割は、論理機能の分割に過ぎず、実際の実装では他の分割があり得る。たとえば、複数のユニットもしくは構成要素が別のシステムに組み合わされもしくは統合されてよく、または、いくつかの特徴が無視されてよく、もしくは実行されなくてよい。加えて、示されまたは論じられた相互結合または直接結合または通信接続が、いくつかのインターフェースを使用することによって実装されてよい。装置間またはユニット間の間接結合または通信接続は、電子的、機械的、または他の形態で実装されてよい。
【０１５９】
別個の部分として説明されたユニットは、物理的に分離してもしなくてよく、ユニットとして示された部分は、物理的ユニットであってもなくてもよく、１つの位置に配置されてよくまたは複数のネットワークユニット上に分散されてよい。ユニットの一部または全部は、実施形態の解決策の目的を達成するために実際の必要性に従って選択されてよい。
【０１６０】
加えて、本発明の実施形態における機能ユニットは、１つの処理ユニットに統合されてよく、またはユニットの各々が物理的に単独で存在してよく、または２つ以上のユニットが１つのユニットに統合されてよい。統合されたユニットは、ハードウェアの形態で実装されてよく、またはソフトウェアの機能ユニットの形態で実装されてよい。
【０１６１】
統合されたユニットがソフトウェア機能ユニットの形態で実装され、独立した製品として販売または使用されるとき、統合されたユニットは、コンピュータ可読記憶媒体に記憶されてよい。そのような理解に基づき、本発明の技術的解決策、または従来技術に対して寄与する部分、または技術的解決策の全部もしくは一部は、ソフトウェア製品の形態で実装されてよい。ソフトウェア製品は、記憶媒体に記憶され、本発明の実施形態に説明された方法のステップの全部または一部を実行するように、（パーソナルコンピュータ、サーバ、もしくはネットワークデバイスであり得る）コンピュータデバイスまたはプロセッサに命令するためのいくつかの命令を含む。上記の記憶媒体は、ＵＳＢフラッシュドライブ、リムーバブルハードディスク、読み出し専用メモリ（ＲＯＭ、Read-Only Memory）、ランダムアクセスメモリ（ＲＡＭ、Random Access Memory）、磁気ディスク、または光ディスクなど、プログラムコードを記憶できる任意の媒体を含む。
【０１６２】
上記の説明は、本発明の特定の実装態様に過ぎず、本発明の保護範囲を限定するように意図されていない。本発明に開示された技術的範囲内で当業者によって容易に想到されるいかなる変形または置換も、本発明の保護範囲内に入るものとする。したがって、本発明の保護範囲は特許請求の範囲の保護範囲に従うものとする。
【図１】
0006542899.tif 000002
【図２】
0006542899.tif 000003
【図３】
0006542899.tif 000004
【図４】
0006542899.tif 000005
【図５】
0006542899.tif 000006
【図６】
0006542899.tif 000007
【図７】
0006542899.tif 000008